(57)【要約】【課題】データ通信の効率をあまり低下させることなく、ソフト面から装置の動作に影響を与える発熱の発生を防止する。【解決手段】送受信データ処理部２４は、送信データパケットを複数のタイムスロットを使用して連続的に送信する高速データ送信モードと、送信データパケットを特定のタイムスロットのみを使用して間欠的に送信する低速データ送信モードのいずれか一方のモードで送信データパケットをタイムスロットに割り当てる。制御部２５は、送信モード切替手段を構成するもので、送信信号の送信継続時間を監視して送受信データ処理部２４の送信モードを切り替える。【選択図】　図１
2004015751.tif 000002
【特許請求の範囲】
【請求項１】
移動無線装置から基地局へ送信データパケットを時分割多重化して送信するに際し、送信データパケットを複数のタイムスロットを使用して連続的に送信する高速データ送信モードと、送信データパケットを特定のタイムスロットのみを使用して間欠的に送信する低速データ送信モードのいずれか一方のモードで前記送信データパケットを前記タイムスロットに割り当てるようにした移動無線方法において、
前記送信データパケットの送信継続時間を監視して前記送信継続時間に基づいて前記送信モードを切り替えるようにした
ことを特徴とする移動無線方法。
【請求項２】
移動無線装置から基地局へ送信データパケットを時分割多重化して送信する移動無線システムにおいて、
前記移動無線装置は、
送信データパケットを複数のタイムスロットを使用して連続的に送信する高速データ送信モードと、送信データパケットを特定のタイムスロットのみを使用して間欠的に送信する低速データ送信モードのいずれか一方のモードで前記送信データパケットを前記タイムスロットに割り当てる時分割多重化処理手段と、
前記時分割多重化処理手段でタイムスロットに割り当てられた前記送信データパケットを変調及び増幅して送信信号を出力する送信出力手段と、
前記送信信号の送信継続時間を監視して前記時分割多重化処理手段の送信モードを切り替える送信モード切替手段と
を備えたものである
ことを特徴とする移動無線システム。
【請求項３】
移動無線装置から基地局へ送信データパケットを時分割多重化して送信する移動無線システムにおいて、
前記移動無線装置は、
送信データパケットを複数のタイムスロットを使用して連続的に送信する高速データ送信モードと、送信データパケットを特定のタイムスロットのみを使用して間欠的に送信する低速データ送信モードのいずれか一方のモードで前記送信データパケットを前記タイムスロットに割り当てる時分割多重化処理手段と、
前記時分割多重化処理手段でタイムスロットに割り当てられた前記送信データパケットを変調及び増幅して送信信号を出力する送信出力手段とを備え、
前記基地局は、
前記移動無線装置からの送信信号の送信継続時間を監視して前記時分割多重化処理手段の送信モードを切り替えるための送信モード切替信号を前記移動無線装置に送信する送信モード切替手段
を備えたものである
ことを特徴とする移動無線システム。
【請求項４】
送信データパケットを複数のタイムスロットを使用して連続的に送信する高速データ送信モードと、送信データパケットを特定のタイムスロットのみを使用して間欠的に送信する低速データ送信モードのいずれか一方のモードで前記送信データパケットを前記タイムスロットに割り当てる時分割多重化処理手段と、
前記時分割多重化処理手段でタイムスロットに割り当てられた前記送信データパケットを変調及び増幅して送信信号を出力する送信出力手段と、
前記送信信号の送信継続時間を監視して前記時分割多重化処理手段の送信モードを切り替える送信モード切替手段と
を備えてなることを特徴とする移動無線装置。
【請求項５】
前記送信モード切替手段は、
前記送信信号の送信時に計数値を増加させ、未送信時に計数値を減少させ、
前記計数値が第１のしきい値を超えたときに前記時分割多重化手段を低速データ送信モードに設定し、前記計数値が第２のしきい値を下回ったときに前記時分割多重化手段を高速データ送信モードに設定する
ものであることを特徴とする請求項４記載の移動無線装置。
【請求項６】
前記送信モード切替手段は、前記送信データパケットの送信時の環境パラメータに基づいて前記送信モードを切り替えるタイミングを変化させるものであることを特徴とする請求項４または５記載の移動無線装置。
【発明の詳細な説明】
【０００１】
【発明の属する技術分野】
本発明は、ＰＤＣ（Ｐｅｒｓｏｎａｌ　Ｄｉｇｉｔａｌ　Ｃｅｌｌｕｌａｒ）、ＰＨＳ等の移動無線装置に関し、特に複数スロットを用いた高速データ転送モードを備えた移動無線装置に関する。
【０００２】
【従来の技術】
携帯電話等の移動無線装置では、基地局との間の通信に複数のキャリア（搬送波）が使用され、各キャリアによって分割された各チャンネルは、更にＴＤＭＡ（Ｔｉｍｅ　Ｄｉｖｉｓｉｏｎ　Ｍｕｌｔｉｐｌｅ　Ａｃｃｅｓｓ）方式により複数のタイムスロットに分割されて使用される。この種の移動無線装置では、上り、下り共に１ユーザが使用可能なユーザパケットチャネルが１サブフレームに例えば３スロット設けられており、通常は、上りデータ通信用の３スロットについては、移動無線装置の負荷の軽減のために、１スロットのみ使用してデータを送信するようにしている。
【０００３】
近年、携帯電話間や携帯電話とコンピュータとの間等で画像ファイルを含むデータ転送が盛んに行われるようになり、通信のトラフィックが増加してきた。このため、上り３スロットを使用して高速にデータを転送する高速データ転送モードを備えた移動無線装置も提案されている。上述した高速データ転送モードは、高速データ転送が可能であるという利点がある反面、３スロットの全てを使用してデータを連続的に送信するため、移動無線装置の負荷が増大し、送信電力増幅部分が発熱し、装置の動作に悪影響を及ぼすという問題がある。
【０００４】
この種の発熱の問題は、パソコン等の非携帯型の情報機器では、冷却ファンのような大型の冷却装置により発熱部分を冷却することで対処することも可能であるが、移動無線装置では、携帯性を追求する上で、常に小型化が要求されるため、このような大型の冷却装置を使用することができない。
【０００５】
この問題を解決するため、例えば特開平９−３２６７４９号公報には、ＴＤＭＡ方式のディジタル移動通信システムにおいて、温度センサでパワーモジュールの温度を検出し、パワーモジュールの温度が予め設定されたしきい値以下のときにはパケットデータを連続する無線タイムスロットで送信し、しきい値以上の場合は、パケットデータを間欠的に無線タイムスロットに送信するようにしたシステムが開示されている。
【０００６】
【発明が解決しようとする課題】
しかしながら、上述した従来のディジタル移動通信システムでは、温度センサを用いるため、部品点数が増加したり、感度調整のための工数が増加するという問題がある。このように、移動無線装置では、携帯性の面で、また、部品点数や工数の増加を避けるという観点から、上述した発熱の問題をハード面から解決することができないという問題がある。
【０００７】
本発明は、上述した問題点を考慮してなされたもので、データ通信の効率をあまり低下させることなく、ソフト面から装置の動作に影響を与える発熱の発生を防止することができる移動無線方法、移動無線システム及び移動無線装置を提供することを目的とする。
【０００８】
【課題を解決するための手段】
本発明に係る移動無線方法は、移動無線装置から基地局へ送信データパケットを時分割多重化して送信するに際し、送信データパケットを複数のタイムスロットを使用して連続的に送信する高速データ送信モードと、送信データパケットを特定のタイムスロットのみを使用して間欠的に送信する低速データ送信モードのいずれか一方のモードで前記送信データパケットを前記タイムスロットに割り当てるようにした移動無線方法において、前記送信データパケットの送信継続時間を監視して前記送信継続時間に基づいて前記送信モードを切り替えるようにしたことを特徴とする。
【０００９】
また、本発明に係る第１の移動無線システムは、移動無線装置から基地局へ送信データパケットを時分割多重化して送信する移動無線システムにおいて、前記移動無線装置は、送信データパケットを複数のタイムスロットを使用して連続的に送信する高速データ送信モードと、送信データパケットを特定のタイムスロットのみを使用して間欠的に送信する低速データ送信モードのいずれか一方のモードで前記送信データパケットを前記タイムスロットに割り当てる時分割多重化処理手段と、前記時分割多重化処理手段でタイムスロットに割り当てられた前記送信データパケットを変調及び増幅して送信信号を出力する送信出力手段と、前記送信信号の送信継続時間を監視して前記時分割多重化処理手段の送信モードを切り替える送信モード切替手段とを備えたものであることを特徴とする。
【００１０】
また、本発明に係る第２の移動無線システムは、移動無線装置から基地局へ送信データパケットを時分割多重化して送信する移動無線システムにおいて、前記移動無線装置は、送信データパケットを複数のタイムスロットを使用して連続的に送信する高速データ送信モードと、送信データパケットを特定のタイムスロットのみを使用して間欠的に送信する低速データ送信モードのいずれか一方のモードで前記送信データパケットを前記タイムスロットに割り当てる時分割多重化処理手段と、前記時分割多重化処理手段でタイムスロットに割り当てられた前記送信データパケットを変調及び増幅して送信信号を出力する送信出力手段とを備え、前記基地局は、前記移動無線装置からの送信信号の送信継続時間を監視して前記時分割多重化処理手段の送信モードを切り替えるための送信モード切替信号を前記移動無線装置に送信する送信モード切替手段を備えたものであることを特徴とする。
【００１１】
更に、本発明に係る移動無線装置は、送信データパケットを複数のタイムスロットを使用して連続的に送信する高速データ送信モードと、送信データパケットを特定のタイムスロットのみを使用して間欠的に送信する低速データ送信モードのいずれか一方のモードで前記送信データパケットを前記タイムスロットに割り当てる時分割多重化処理手段と、前記時分割多重化処理手段でタイムスロットに割り当てられた前記送信データパケットを変調及び増幅して送信信号を出力する送信出力手段と、前記送信信号の送信継続時間を監視して前記時分割多重化処理手段の送信モードを切り替える送信モード切替手段とを備えてなることを特徴とする。
【００１２】
本発明によれば、データ送信時に送信継続時間を監視し、送信継続時間に基づいて時分割多重化処理の送信モードを低速データ送信モードと高速データ送信モードとで切り替えるようにしているので、高速データ送信モードによりデータの送信継続時間が増加した場合には、低速データ送信モードに切り替えられ、データ送信時の発熱を抑制することができる。また、データの送信継続時間が短い場合には、高速データ送信モードに切り替えられるので、データの転送効率を向上させることができる。
【００１３】
本発明の一つの実施形態においては、送信モード切替手段が、送信信号の送信時に計数値を増加させ、未送信時に計数値を減少させ、計数値が第１のしきい値を超えたときに時分割多重化手段を低速データ送信モードに設定し、計数値が第２のしきい値を下回ったときに時分割多重化手段を高速データ送信モードに設定するものである。また、他の実施形態においては、送信モード切替手段が、送信データパケットの送信時の環境パラメータに基づいて前記送信モードを切り替えるタイミングを変化させるものである。
【００１４】
本発明は、更に時間帯及び季節の少なくとも一方に基づいて補正情報を出力する制御手段を更に備え、送信モード切替手段が、制御手段から出力される補正情報に基づいて送信モードを切り替えるタイミングを変化させるようにしても良い。
【００１５】
【発明の実施の形態】
以下、図面に基づいて本発明の好ましい実施形態を説明する。
図１は、本発明の一実施形態に係る移動無線システムの構成を示すブロック図である。この移動無線システムは、基地局１０と、この基地局１０との間で無線通信を行う移動無線装置２０とにより構成されている。移動無線装置２０は、アンテナ２１、ＲＦ受信部２２、ＲＦ送信部２３、送受信データ処理部２４及び制御部２５を備えて構成されている。送受信データ処理部２４は、制御部２５で指定された送信モードに従って送信データを時分割多重化する時分割多重（ＴＤＭＡ）処理手段を含む。制御部２５は、送信信号の継続時間を監視して時分割多重化処理手段の送信モードを切替える送信モード切り替え手段を含む。
【００１６】
移動無線装置２０から送信すべき送信データは、送受信データ処理部２４で所定の符号化処理を施され時分割処理される。送受信データ処理部２４は、送信データをパケット化すると共に検出された空きタイムスロットに送信データパケットを割り当てる。このとき、送信モードが低速データ送信モードである場合には、３つのタイムスロットのうちの１つのタイムスロットに送信データパケットを割り当て、高速データ送信モードでは、３つのタイムスロットの全てに送信データパケットを割り当てる。
【００１７】
図２は、制御部２５の具体的な処理を示すフローチャートである。
まず、初期スタート時には、内部のカウンタがリセットされ、高速データ送信モードに設定される（Ｓ１）。次に、制御部２５は、送受信データ処理部２４で送信が開始されたかどうかを監視し（Ｓ２）、送信が開始されたら内部のカウンタをカウントアップする（Ｓ３）。以後、送信停止となるまで、カウントアップを続け（Ｓ３，Ｓ６）、その間にカウント値が上限しきい値ＴＨＵを超えたら（Ｓ４）、低速データ送信モードに切替える（Ｓ５）。送信停止となったら（Ｓ６）、カウントダウンを開始し（Ｓ７）、次の送信開始が検出されるまでカウントダウンを続行する（Ｓ７，Ｓ９）。その間にカウント値が下限しきい値ＴＨＬを下回ったら（Ｓ８）、高速データ送信モードに切替える（Ｓ９）。送信開始となったら（Ｓ１０）、再びカウントアップを開始するが（Ｓ３）、送信開始が検出されない状態でカウント値が０になったら（Ｓ１１）、送信開始待機状態となる（Ｓ２）。
【００１８】
図３は、データ送信時の各時間における各部の状態を示す図である。同図（ａ）において、始めは高速データ送信モードが指定され、３つのスロット（スロットＮｏ．０，１，２）の全てに送信データパケットが割り当てられ、連続的な送信が開始される。このとき、制御部２５は、アップカウントを継続するので、カウント値は、やがて上限しきい値ＴＨＵを超える。これにより送信モードは高速データ送信モードから低速データ送信モードに切り替わる。しかし、スロットＮｏ．１，２の送信データパケットの送信が終了していないので、送信は２スロット分継続される。
【００１９】
図３（ｂ）は、しきい値ＴＨＵ，ＴＨＬが（ａ）の場合よりも低く設定している場合を示している。この例のように、制御部２５は、内部の時計に基づいて、例えば６月〜８月、９月〜１２月、１月〜３月、４月〜５月というように、季節等の環境パラメータに基づいて、そのしきい値ＴＨＵ，ＴＨＬを変化させるようにしても良い。
【００２０】
この他、カウントアップの幅やカウント周期等を環境パラメータに応じて変化させるようにしても良い。また、制御部２５が内部に生成された時間情報に基づいて、日中でのクロック周波数を夜よりも高く設定したり、日中でのしきい値ＴＨＵ，ＴＨＬを夜よりも低く設定することもできる。
【００２１】
また、以上の実施形態では、移動無線装置２０の制御部２５の内部に送信モード切替機能を設けた例について説明したが、基地局１０の内部に、移動無線装置２０からの送信信号の送信継続時間を監視して送信モード切替信号の移動無線装置２０に送信する送信モード切替手段を設けるようにしても同様の効果を得ることができる。
【００２２】
【発明の効果】
以上述べたように本発明によれば、データ送信時に送信継続時間を監視し、送信継続時間に基づいて時分割多重化処理の送信モードを低速データ送信モードと高速データ送信モードとで切り替えるようにしているので、高速データ送信モードによりデータの送信継続時間が増加した場合には、低速データ送信モードに切り替えられ、データ送信時の発熱を抑制することができる。また、データの送信継続時間が短い場合には、高速データ送信モードに切り替えられるので、データの転送効率を向上させることができるという効果を奏する。
また、本発明によれば、ソフト面から装置の動作に影響を与える発熱の発生を防止することができるので、熱センサ等の温度検出用部品が不要で、小型化、低コスト化、および低消費電力化が可能で、携帯性に優れた移動無線装置を提供することができるという効果を奏する。
【図面の簡単な説明】
【図１】本発明の一実施形態に係る移動無線システムの構成を示すブロック図である。
【図２】同システムにおける制御部の処理を示すフローチャートである。
【図３】同システムにおける移動無線装置からのデータ送信時の各時間における各部の状態を示す図である。
【符号の説明】
１０…基地局
２０…移動無線装置
２１…アンテナ
２２…ＲＦ受信部
２３…ＲＦ送信部
２４…送受信データ処理部
２５…制御部
【図１】
2004015751.tif 000003
【図２】
2004015751.tif 000004
【図３】
2004015751.tif 000005